(57)【特許請求の範囲】
【請求項１】
建物内部の１坪＋１ｍ2 以内の略１坪の広さの４角形の設置スペースに１坪階段として設けられ、手摺壁を挟んだ一方の側の下階側階段部分から、手摺壁の延長上の廻り込み部を介して他方の側の上階側階段部分にＵ字形に折り返す階段部と、前記上階側階段部分の下方に配置されたトイレ室とを備えるトイレ室付き折返し階段において、
前記手摺壁を、階段の直線部分における踏板面の幅以上の幅で形成すると共に、前記廻り込み部である前記手摺壁の延長上には帯板状の中間踏板を１段配置し、
該中間踏板を、下方に前記トイレ室におけるヘッドクリアランスを保持できる高さよりも１段低い高さに設置して、該中間踏板の高さから上階側階段部分及び下階側階段部分を振り分けることにより、前記トイレ室の全体にヘッドクリアランスを確保し、
且つ、前記手摺壁の前記中間踏板より下方に位置する部分の壁面をトイレ室から下階側階段部分側に凹ませて、トイレ室の空間を拡幅したことを特徴とするトイレ室付き折返し階段。
【請求項２】
前記手摺壁の前記中間踏板より上方に位置する部分の壁面を下階側階段部分から上階側階段部分側に凹ませて、飾り棚を形成したことを特徴とする請求項１記載のトイレ室付き折返し階段。
【請求項３】
前記手摺壁の上端を階段状に形成して、笠木の上面を飾り棚とした請求項１又は２に記載のトイレ室付き折返し階段。
【発明の詳細な説明】
【０００１】
【発明の属する技術分野】
本発明は、建物内部の１坪＋１ｍ2 以内の略１坪の広さの４角形の設置スペースに１坪階段として設けられ、上階側階段部分の下方にトイレ室を備えるトイレ室付き折返し階段に関する。
【０００２】
【従来の技術及び発明が解決しようとする課題】
例えば住宅用の建物においては、屋内の空間を効率良く活用するため、図５（ａ），（ｂ）及び図６に示すように、例えば略１坪程度の広さの４角形の設置スペースに、いわゆる１坪階段と呼ばれる折返し階段５０を設け、階段用の空間をコンパクトにまとめると共に、折返し階段５０の上階側階段部分５１の下方にはトイレ室５２を設けて、４角形の設置スペースの有効利用を図っている。
【０００３】
このようなトイレ室付きの折返し階段５０は、手摺壁５４を挟んだ一方の側に位置して下階（１階）側の床に接続する下階側階段部分５３と、手摺壁５４の延長上に位置する廻り込み部５５を介して下階側階段部分５３からＵ字形に折り返して設けられ、手摺壁５４を挟んだ他方の側に位置すると共に、上階（２階）側の床に接続する上階側階段部分５１とからなる階段部５６と、上階側階段部分５１の下方に配置されたトイレ室５２とによって構成されるものであるが、トイレ室５２は、４角形の設置スペースの半分の領域のみを占める上階側階段部分５１の下方に設けられるものであるため、多くの空間を割くことができない。また、特に廻り込み部５５の近傍において中間部分の踏板（例えば１５段の階段の８段目の踏板）５７の下方にヘッドクリアランスを保持できる高さを確保することが困難になることから、例えば手洗い付きロータンクを備える便器５８をトイレ室５２の外側壁５９よりも出入り口６０側に大きくずらして配置する必要を生じることになり、トイレ室５２は一層狭くなって使用しずらくなるという課題があった。すなわち、従来の折返し階段５０によれば、廻り込み部５５に配置される中間部分の踏板５７がトイレ室５２の天井面に食い込むことになり、この中間部分の踏板５７の下地ボード６１によって高さの制約を受けることになるため、便器５８の上方にヘッドクリアランスを確保できるように、便器５８を外側壁５９から出入り口６０側に大きくずらして配置しなければならなかった。
【０００４】
また、従来のトイレ室付きの折返し階段５０は、例えば玄関の隣に設けられることがあり、手摺壁５４は玄関から直接的かつ自然に視覚に入ることになるが、手摺壁５４はその厚さが薄いものであるため、意匠性に富んだ奥行きのある室内の景観を階段に施すことが困難だった。
【０００５】
本発明は、このような従来の課題に着目してなされたもので、１坪＋１ｍ2 以内の略１坪の広さの１坪階段として設けられたトイレ室付き折返し階段において、上階側階段部分の下方に設けられたトイレ室の全体に必要なヘッドクリアランスを容易に保持できると共に、トイレ室の空間を広げて使用しやすさを向上させたトイレ室付き折返し階段を提供することを目的とする。
【０００６】
また、本発明は、意匠性に富んだ奥行きのある景観を、階段に容易に施すことができるトイレ室付き折返し階段を提供することを目的とする。
【０００７】
【課題を解決するための手段】
本発明は、建物内部の１坪＋１ｍ2 以内の略１坪の広さの４角形の設置スペースに１坪階段として設けられ、手摺壁を挟んだ一方の側の下階側階段部分から、手摺壁の延長上の廻り込み部を介して他方の側の上階側階段部分にＵ字形に折り返す階段部と、前記上階側階段部分の下方に配置されたトイレ室とを備えるトイレ室付き折返し階段において、前記手摺壁を、階段の直線部分における踏板面の幅以上の幅で形成すると共に、前記廻り込み部である前記手摺壁の延長上には帯板状の中間踏板を１段配置し、該中間踏板を、下方に前記トイレ室におけるヘッドクリアランスを保持できる高さよりも１段低い高さに設置して、該中間踏板の高さから上階側階段部分及び下階側階段部分を振り分けることにより、前記トイレ室の全体にヘッドクリアランスを確保し、且つ、前記手摺壁の前記中間踏板より下方に位置する部分の壁面をトイレ室から下階側階段部分側に凹ませて、トイレ室の空間を拡幅したことを特徴とするトイレ室付き折返し階段を提供することにより、上記目的を達成したものである（請求項１記載の発明）。
【０００８】
また、本発明のトイレ室付き折返し階段は、前記手摺壁の前記中間踏板より上方に位置する部分の壁面を下階側階段部分から上階側階段部分側に凹ませて、飾り棚を形成することが好ましい（請求項２記載の発明）。
【０００９】
さらに、本発明のトイレ室付き折返し階段は、前記手摺壁の上端を階段状に形成して、笠木の上面を飾り棚とすることが好ましい（請求項３記載の発明）。
【００１１】
【発明の実施の形態】
以下本発明の好ましい実施形態を添付図面を参照しつつ詳細に説明する。本実施形態に係るトイレ室付き折返し階段１０は、一例として図１（ａ）〜（ｃ）及び図２（ａ），（ｂ）に示すように、例えば２階建の住宅用の建物において、略１坪程度の広さの４角形の設置スペースに、いわゆる１坪階段としてコンパクトにまとまった形態で設置されて１階の床面と２階の床面とを接続すると共に、高さの高い上階側階段部分１１の下方にトイレ室１３を設けて、４角形の設置スペースの有効利用を図るようにしたものである。
【００１２】
すなわち、本実施形態のトイレ室付き折返し階段１０は、建物内部の１坪＋１ｍ2 以内の略１坪の広さの４角形の設置スペースに１坪階段として設けられ、手摺壁１４を挟んだ一方の側の下階側階段部分１２から、手摺壁１４の延長上の廻り込み部１５を介して他方の側の上階側階段部分１１にＵ字形に折り返す階段部１６と、上階側階段部分１１の下方に配置されたトイレ室１３とを備えるものである。そして、手摺壁１４を、階段の直線部分における踏板面の幅以上の幅で形成すると共に、廻り込み部１５である手摺壁１４の延長上には帯板状の中間踏板１７を１段配置し、この中間踏板１７を、下方にトイレ室１３におけるヘッドクリアランスを保持できる高さよりも１段低い高さＨに設置して、中間踏板１７の高さＨから上階側階段部分１１及び下階側階段部分１２を振り分けることにより、トイレ室１３の全体にヘッドクリアランスを確保できるようにしている。また、手摺壁１４の中間踏板１７より下方に位置する部分の壁面を、トイレ室１３から下階側階段部分１２側に拡幅凹部１８（図３参照）として凹ませて、トイレ室１３の空間を拡幅している。
【００１３】
また、本実施形態のトイレ室付き折返し階段１０によれば、手摺壁１４の中間踏板１７より上方に位置する部分の壁面を下階側階段部分１２から上階側階段部分側１１に凹ませて、飾り棚１９（図４参照）が形成されている。
【００１４】
さらに、本実施形態のトイレ室付き折返し階段１０によれば、手摺壁１４の上端を階段状に形成して、当該階段状の上端を覆って取り付けた笠木の上面を、飾り棚２０として用いることができるようになっている。
【００１５】
トイレ室付き折返し階段１０を構成する階段部１６は、各々２０ｃｍ程度の段差で配置された１５段の階段面からなり、手摺壁１４及びこれの延長上の中間踏板１７を挟んだ一方の側に配置される７段の踏板によって下階側階段部分１２が構成されると共に、他方の側に配置された６段の踏板及び２階部分の床面によって上階側階段部分１１が構成されることになる。また、階段部１６の直線部分の踏板（１，２，３，４，１２，１３，及び１４段目の踏板）の踏板面の幅は、２３ｃｍ程度の幅となっていると共に、手摺壁１４は、これらの踏板面の幅よりも大きな３６ｃｍ程度の幅Ｂで、かつ廻り込み部１５を残した１０４ｃｍ程度の長さＬで設けられている。さらに、手摺壁１４の延長上の廻り込み部１５に配される中間踏板１７は、直線部分の踏板と同様の２３ｃｍ程度の幅の帯板状の踏板となっている。なお、本実施形態によれば、手摺壁１４の幅が従来の手摺壁の幅よりも２３ｃｍ程度大きくなっており、且つこの手摺壁１４の延長上に中間踏板１７が設けられていることにより、４角形の設置スペースの面積が、一般の１坪階段の設置スペースである１坪よりも、０．４１ｍ2 程度大きくなっている。
【００１６】
トイレ室付き折返し階段１０を構成するトイレ室１３は、上階側の６段の踏板（９〜１４段目の踏み板）及び２階の床面（１５段目）からなる上階側階段部分１１の下方において、幅１００ｃｍ程度、奥行き１６９ｃｍ程度の広さで設けられると共に、８段目の中間踏板１７が食い込むことなく、９段目の踏板を最も低い踏板として上階側階段部分１１の下方にトイレ室１３が設けられることにより、トイレ室１３の天井面は、その全体に亘ってヘッドクリアランスを保持できる高さに設置されることになる。すなわち、本実施形態によれば、８段目の中間踏板１７が下方にトイレ室１３におけるヘッドクリアランスを保持できる高さよりも１段低い高さＨに設置されており、したがってこれよりも１段高い９段目の踏板の下方に野縁及び天井用下地ボード等を設置した後においても、９段目の踏板の下方の天井仕上面２１は、ヘッドクリアランスを保持できる高さよりも高い位置に配置されることになる。なお、ヘッドクリアランスを保持できる高さとは、トイレ室１３内におい、住人が頭をぶつけることなく容易に行動可能な高さであって、例えば１６５〜１８５ｃｍの範囲で任意に設定することができる高さである。
【００１７】
そして、本実施形態によれば、上述のようにトイレ室１３の全体に亘ってヘッドクリアランスを確保できるので、トイレ室１３の空間を広げて使用することが可能になる。すなわち、廻り込み部１５の近傍においても、上階側階段部分１１の踏板による高さの制約を受けることがないため、便器２２を外側壁２３に近づけてトイレ室１３の奥部に設置するすることができ、これによってトイレ室１３を奥行き方向に広く用いることが可能になる。
【００１８】
また、本実施形態によれば、手摺壁１４の幅Ｂが３６ｃｍ程度の相当の大きさを有し、踏板の１段分厚くなっているので、中間踏板１７より下方に位置する部分の手摺壁１４の壁面を、トイレ室１３から下階側階段部分１２側に例えば２３ｃｍ程度の深さで凹ませて拡幅凹部１８を形成することにより、図３に示すようにトイレ室１３の空間を幅方向に拡幅して、トイレ室１３をより広く用いることが可能になる。手摺壁１４の壁面を凹ませて形成した拡幅凹部１８は、物置き場等として用いることもできるが、壁埋込型の手洗い器２４を設置して用いることが好ましい。便器２２としては、手洗い付きロータンクを備えるものを使用することもできるが、壁埋込型の手洗い器２４を設置することにより、便器２２は手洗い付きロータンクを備える必要がなくなると共に、手洗い作業を容易にして、水が周囲に飛び散るのを効果的に回避することが可能になる。また拡幅凹部１８によって出入り口２５に近接する部分のトイレ室１３の幅が広がることにより、出入り口２５の幅を広く確保することができ、これによって、例えば車椅子に乗った住人がトイレ室１３にスムーズに出入りすることが可能になる。
【００１９】
すなわち、本実施形態のトイレ室付き折返し階段１０によれば、階段部１６の中心部分に設けられる手摺壁１４を、踏板の１段分厚くして１坪の設置スペースを僅かに０．４１ｍ2 程度広げただけで、上階側階段部分１１の下方に設けられるトイレ室１３の空間を効率良く広げて、利便性を効果的に向上させることが可能になる。
【００２０】
そして、本実施形態によれば、手摺壁１４の幅Ｂが３６ｃｍ程度の相当の大きさとなっているので、図４に示すように、中間踏板１７より上方に位置する部分の手摺壁１４の壁面を下階側階段部分１２から上階側階段部分側１１に２３ｃｍ程度の深さで凹ませて、飾り棚１９を容易に形成することができる。かかる飾り棚１９は、奥行きのある形状を備えて、花やその他の装飾品を安定した状態で容易に載置させることが可能になり、これによって、トイレ室付き折返し階段１０が例えば玄関に隣接して設けられて、手摺壁１４が玄関から直接的かつ自然に視覚に入ることになる場合においても、意匠性に富んだ奥行きのある室内の景観を玄関にいる人に与えることが可能になる。
【００２１】
また、本実施形態によれば、手摺壁１４の幅Ｂが３６ｃｍ程度の相当の大きさとなっているので、階段状に形成した手摺壁１４の上端を覆って取り付けた笠木の上面は、花やその他の装飾品を安定した状態で容易に載置させることが可能な載置台として使用することができ、これによって当該階段状の笠木の上面を飾り棚２０として用いて、意匠性に富んだ趣のある景観を得ることが可能になる。
【００２２】
すなわち、本実施形態のトイレ室付き折返し階段１０によれば、意匠性に富んだ奥行きや趣のある景観を、階段部１６に容易に施すことが可能になる。
【００２３】
なお、本発明は上記実施形態に限定されることなく種々の変更が可能である。例えば、本発明のトイレ室付き折返し階段は、２階建ての家屋の階段として設けられる必要は必 ずしもなく、上階と下階を連絡する種々の階段として用いることもできる。また、玄関に隣接して設置する必要は必ずしもなく、手摺壁の壁面の飾り棚や手摺壁の上端の飾り棚を設ける必要は必ずしもない。さらに、階段部は１５段の階段である必要は必ずしもなく、手摺壁の延長上に配置される中間踏板は、８段目の踏板である必要は必ずしもない。
【００２４】
【発明の効果】
以上詳細に説明したように、本発明によれば、１坪＋１ｍ2 以内の略１坪の広さの１坪階段として設けられたトイレ室付き折返し階段において、上階側階段部分の下方に設けられたトイレ室の全体に必要なヘッドクリアランスを容易に保持できると共に、トイレ室の空間を広げて使用しやすさを容易に向上させることができる。また、手摺壁の壁面や手摺壁の上端に飾り棚を設けることにより、意匠性に富んだ奥行きや趣のある景観を容易に施すことができる。
【図面の簡単な説明】
【図１】本発明の一実施形態に係るトイレ室付き折返し階段を示す、（ａ）は平面図、（ｂ）は図２（ａ）のＡ−Ａに沿った断面図、（ｃ）は図２（ｂ）のＢ−Ｂに沿った断面図である。
【図２】本発明の一実施形態に係るトイレ室付き折返し階段を示す、（ａ）は図１（ａ），（ｂ）のＣ−Ｃに沿った断面図、（ｂ）は図１（ａ），（ｃ）のＤ−Ｄに沿った断面図である。
【図３】手摺壁の壁面に設けられた飾り棚を示す斜視図である。
【図４】上階側階段部分の下方に設けられたトイレ室を示す斜視図である。
【図５】従来のトイレ室付き折返し階段を示す、（ａ）は平面図、（ｂ）は図６のＥ−Ｅに沿った断面図である。
【図６】従来のトイレ室付き折返し階段を示す、図５（ａ），（ｂ）のＦ−Ｆに沿った断面図である。
【符号の説明】
１０  トイレ室付き折返し階段
１１  上階側階段部分
１２  下階側階段部分
１３  トイレ室
１４  手摺壁
１５  廻り込み部
１６  階段部
１７  中間踏板
１８  拡幅凹部
１９  手摺壁の壁面の飾り棚
２０  手摺壁の上端の飾り棚
２１  天井仕上面
２２  便器
２３  トイレ室の外側壁
２４  手洗い器
２５  出入り口
Ｈ    中間踏板の高さ
Ｂ    手摺壁の幅
Ｌ    手摺壁の長さ
【図１】
0004916072.tif 000002
【図２】
0004916072.tif 000003
【図３】
0004916072.tif 000004
【図４】
0004916072.tif 000005
【図５】
0004916072.tif 000006
【図６】
0004916072.tif 000007